(57)【要約】【課題】簡単な作業で湾曲したコーナを形成できるフラットケーブルの敷設方法を提供する。【解決手段】本発明によるフラットケーブルの敷設方法は、フラットケーブルのケーブル部（１）の両側の保護部（２，３）のシースを所定の長さにわたって取り除く工程と、フラットケーブルのケーブル部（１）を収容する円弧状に延在する溝を有するコーナプロテクタを用意し、前記保護部が取り除かれたフラットケーブルのケーブル部をコーナプロテクタの（１０）溝内に配置する工程と、コーナプロテクタ及びフラットケーブルを床面に固定する工程とを具えることを特徴とする。ケーブル部の両側の保護部を除去すると、ケーブル部は容易に湾曲することができるので、コーナプロテクタの溝内に容易に湾曲配置させることができる。この結果、コーナを形成する部分はコーナプロテクタにより外力から保護され、両側に保護部が存在するのとほぼ等価な状態に維持することができる。【選択図】　　　　図４
2004072834.tif 000002
【特許請求の範囲】
【請求項１】
複数の素線が一平面内に互いにほぼ平行に配列されているケーブル部と、ケーブル部の両側に位置する保護部とを有するフラットケーブルを床面上に湾曲したコーナが形成されるように敷設するフラットケーブルの敷設方法であって、
フラットケーブルのケーブル部の両側の保護部のシースを所定の長さにわたって取り除く工程と、
フラットケーブルのケーブル部を収容する円弧状に延在する溝を有するコーナプロテクタを用意し、前記保護部が取り除かれたフラットケーブルのケーブル部をコーナプロテクタの溝内に配置する工程と、
コーナプロテクタ及びフラットケーブルを床面に固定する工程とを具えることを特徴とするフラットケーブルの敷設方法。
【請求項２】
フラットケーブルをコーナが形成されるように敷設するために用いられるフラットケーブル用のコーナプロテクタであって、
円弧状に延在する溝と、当該溝の延在方向の両側に形成した傾斜面とを有し、前記溝が、当該溝の延在方向と直交する断面方向から見た場合、フラットケーブルの複数の素線が位置平面内に互いにほぼ平行に配列されているケーブル部を収容する深さ及び幅を有し、当該コーナプロテクタを床面上に配置した場合、前記傾斜面が床面に対して滑らかに連なることを特徴とするフラットケーブル用のコーナプロテクタ。
【請求項３】
請求項２に記載のフラットケーブル用のコーナプロテクタにおいて、前記溝が終端する両端に、互いにほぼ平行な基準面を形成し、当該基準面間の直線状の距離を、前記円弧状の溝の当該円弧に沿った両端間の距離にほぼ等しくしたことを特徴とするフラットケーブル用のコーナプロテクタ。
【請求項４】
請求項２又は３に記載のフラットケーブル用のコーナプロテクタにおいて、当該コーナプロテクタを圧縮変形可能な材料で構成し、前記溝を挟んで一方の周縁に溝の延在方向に沿って複数の楔形の切り込みが形成され、他方の周縁には溝の延在方向に沿って複数の直線状の切り込みが形成されていることを特徴とするフラットケーブル用のコーナプロテクタ。
【発明の詳細な説明】
【０００１】
【発明の属する技術分野】
本発明は、フラットケーブルの敷設方法、特にフラットケーブルをコーナが形成されるように敷設するフラットケーブルの敷設方法及び敷設に際して用いられるコーナプロテクタに関するものである。
【０００２】
【従来の技術】
ＬＡＮ用の室内配線としてフラットケーブルが広く使用されている。このフラットケーブルは、４本又は８本等の撚り線が一平面内に平行に配列されているケーブル部と、ケーブル部の両側に設けられ断面が台形の保護部から構成されている。このフラットケーブルをフロア配線に使用する場合、床面上でコーナを形成するように湾曲されて敷設される場合も多い。しかしながら、フラットケーブルは断面がフラットな形状であるため、ケーブルの平面内でコーナが形成されるように湾曲して敷設することが困難なものである。
【０００３】
従来、フラットケーブルにコーナを形成して敷設する方法として図１に示すように、ケーブル部の両側の保護部に切り込みを形成する方法が用いられている。フラットケーブルの敷設に際、作業者が、一方の側の保護部のシースに多数のウェッジ形の切り込みを形成し、反対側の保護部のシースに線状の切り込みを形成し、ウェッジ形の切り込みが形成されている側を内側にして湾曲させることによりコーナが形成されている。
【０００４】
【発明が解決しようとする課題】
上述した切り込みを形成してコーナを形成する方法は、作業性及び精度に難点がある。すなわち、曲げる角度に応じて切り込み部の数、切り込みのピッチ及び切り込み角度を規定する必要があるが、切り込みの角度や切り込み部の数を適正に設定することは高度な技量が必要である。また、作業現場において多数の切り込みを形成するのに長時間かかる欠点がある。
【０００５】
従って、本発明の目的は、フラットケーブルに比較的簡単な作業でコーナが形成されるように敷設できるフラットケーブルの敷設方法を提供することである。
【０００６】
さらに、本発明の別の目的は、フラットケーブルを床面に敷設する際に種々の曲げ角度でコーナを形成できるコーナプロテクタを提供することにある。
【０００７】
【課題を解決する手段】
本発明によるフラットケーブルの敷設方法は、複数の素線が一平面内に互いにほぼ平行に配列されているケーブル部と、ケーブル部の両側に位置する保護部とを有するフラットケーブルを床面上にコーナが形成されるように敷設するフラットケーブルの敷設方法であって、
フラットケーブルのケーブル部の両側の保護部のシースを所定の長さにわたって取り除く工程と、
フラットケーブルのケーブル部を収容する円弧状に延在する溝を有するコーナプロテクタを用意し、前記保護部が取り除かれたフラットケーブルのケーブル部をコーナプロテクタの溝内に配置する工程と、
コーナプロテクタ及びフラットケーブルを床面に固定する工程とを具えることを特徴とする。
【０００８】
フラットケーブルのシース材料は柔軟性を有しているので、フラットケーブルのケーブル部の両側の保護部を除去した場合、残存するケーブル部は素線が配列されている平面内において容易に湾曲変形させることができる。そして、ケーブル部を湾曲させながらコーナプロテクタの溝内に挿入することにより、ケーブル部は溝の円弧に沿って湾曲保持されることになる。この結果、床面に固定された場合、ケーブル部は両側に位置する保護フランジ部により外力から保護された状態に維持され、コーナを形成するケーブル部分は両側に保護部が存在する場合とほぼ等価な状態に維持される効果が達成される。
【０００９】
本発明によるフラットケーブル用のコーナプロテクタは、フラットケーブルをコーナが形成されるように敷設するために用いられるフラットケーブル用のコーナプロテクタであって、
円弧状に延在する溝と、当該溝の延在方向の両側に形成した傾斜面とを有し、前記溝が、当該溝の延在方向と直交する断面方向から見た場合、フラットケーブルの複数の素線が位置平面内に互いにほぼ平行に配列されているケーブル部を収容する深さ及び幅を有し、当該コーナプロテクタを床面上に配置した場合、前記傾斜面が床面に対して滑らかに連なることを特徴とする。このようなコーナプロテクタを用いることにより、溝内にケーブル部が湾曲保持されるので、コーナを形成するケーブル部は、両側に保護フランジが存在するのとほぼ等価な状態に維持される効果が達成される。
【００１０】
本発明によるコーナプロテクタの変形例は、前記溝が終端する両端に、互いにほぼ平行な基準面を形成し、当該基準面間の直線状の距離を、前記円弧状の溝の当該円弧に沿った両端間の距離にほぼ等しくしたことを特徴とする。このコーナプロテクタを用いる場合、保護部の除去すべき長さが基準面間の距離により規定されるので、現場での作業を一層簡単化することができる。
【００１１】
本発明によるコーナプロテクタの変形例は、当該コーナプロテクタを圧縮変形可能な材料で構成し、前記溝を挟んで一方の周縁に溝の延在方向に沿って複数の楔形の切り込みが形成され、他方の周縁には溝の延在方向に沿って複数の直線状の切り込みが形成されていることを特徴とする。このフラットケーブル用のコーナプロテクタは、コーナプロテクタ自身が一平面内で湾曲変形することができるので、曲げ角度、すなわちコーナの曲げ度合いを自在に設定できる効果が達成される。
【００１２】
【発明の実施の形態】
図２はフラットケーブルの一例を示すものであり、図２Ａは平面図であり、図２Ｂはケーブルの延在方向と直交する面で切った断面図である。フラットケーブルは４本の素線を収容するケーブル部１と、ケーブル部の両側に形成されケーブル部を保護する保護部２及び３とを有する。ケーブル部１は４本の素線を収容し、これら４本の素線は一平面内に平行に延在する。尚、ケーブル部は４本の素線に限定されず、８本等の素線を収容することもできる。ケーブル部１と保護部２及び３は一平面内で平行に延在し、ケーブル部１と保護部２及び３との間に細い連結部４及び５が設けられている。
【００１３】
図３は、フラットケーブルのケーブル部の両側の保護の一部を除去した状態を示す。フラットケーブルのシースはポリエチレン等の誘電性高分子で構成され、比較的高い柔軟性を有しており、鋏等を用いて切り込みを形成することができる。また、形成部と保護部とは細い連結部により連結されているだけであるため、保護部のシースに切り込みを形成し、保護部をケーブル部から引き剥がすことにより所定の長さにわたって保護部を容易に除去することができる。
【００１４】
図４は本発明によるフラットケーブルの敷設方法に用いられるコーナプロテクタの一例を示すものであり、図４Ａは平面図及び図４Ｂは溝の延在方向と直交する断面として見た場合の断面図である。本発明によるコーナプロテクタは円弧状に延在する溝１０を有する。この溝１０は、保護部２及び３が除去されたフラットケーブルのケーブル部１を収容するものであり、その深さ及び幅はケーブル部１の厚さ及び幅よりも若干大きくなるように設定する。溝１０の両側には、保護フランジ１１ａ及び１１ｂを設ける。この保護フランジは溝１０内に収容されたケーブル部を保護する機能を果たすものである。これら保護フランジは、平坦部１２ａ及び１２ｂと、斜辺部１３ａ及び１３ｂとを含む。このように、斜辺部を設けることにより、コーナプロテクタを床面に設置した際コーナプロテクタの縁部が床面に対して緩やかに連続する。尚、フラットケーブルのシースの材料であるポリエチレンが柔軟性を有し変形可能であること並びに保護部２及び３が除去されたケーブルの軸線方向と直交する方向の幅が小さいため、円弧状に延在する溝１０内にケーブル部１を収容してもその平面性を維持したまま収納維持する
【００１５】
コーナプロテクタの第１の端面１４ａと反対側の第２の端面１４ｂとの間のなことができる。す角度、すなわち円弧状に延在する溝のＲすなわち曲げ角度は所望の曲げ角度に設定することができる。
【００１６】
本例では、第１及び第２の端面側に互いに平行な基準面１５ａ及び１５ｂを形成する。これら平行な基準面間の直線状の距離は円弧状の溝１０の軸線方向の長さすなわち溝１０内に収容される保護部の軸線方向の長さすなわち円弧に沿った長さに設定する。このように構成すれば、現場において除去すべ保護部の軸線方向の長さが平行な基準面１５ａと１５ｂとの間の距離にほぼ等しくなるため、面１４ａと１４ｂとの間の間隔を基準スケールとして利用して除去すべき保護部の長さを規定することができる。
【００１７】
コーナプロテクタは、ＰＶＣ，ＰＥ，ＰＰ，ＰＳ，ＰＣ等の硬質又は軟質の種々の合成樹脂材料又は及び金属材料で構成することができる。
【００１８】
次に、上述したコーナプロテクタを用いてフラットケーブルを床面に設置する敷設方法について説明する。初めに、敷設されるフラットケーブルのコーナを形成する位置を特定する。次に、コーナプロテクタを用意し、フラットケーブルのコーナを形成すべき部位をコーナプロテクタの基準面１５ａ及び１５ｂに重ね合わせ、これら基準面を利用して保護部に切り込みを２カ所形成する。そして、これら切り込みが形成された部分に沿って保護部を除去する。この際、保護部とケーブル部との間には溝が形成され細い連結部により連結されているだけであるから、保護部を手作業で容易に除去することができる。
【００１９】
次に、フラットケーブルのケーブル部をこれらプロテクタの溝１０内に収容する。この際、両側の保護部が除去されたケーブル部は溝内に容易に湾曲させて保持することができる。そして、テープ等の手段又は接着剤を用いてこれらプロテクタ及びフラットケーブルを床面に固定する。これにより、敷設作業は終了する。
【００２０】
次に、これらプロテクタの変形例について説明する。図５はこれらプロテクタの変形例を示す平面図及び断面図である。本例では、ケーブル部を収容する溝１０の一方の側に設けたフランジ部１１ａにウェッジ状の切り込みを多数形成し、他方の側のフランジ部１１ｂに直線状の切り込みを形成多数形成する。これらの切り込みは予め形成しておく。そして、コーナプロテクタの材料として柔軟性を有する合成樹脂材料又は圧縮変形可能な材料、例えばＰＶＣ、ＰＰ、ＰＳ、ＰＥ等を用いる。フラットケーブルの敷設に際し、ウェッジ状の切り込みが形成されているフランジ部１１ａを内側にし、直線昭状の切り込みが形成されているフランジ部１１ｂを外側にして当該これらプロテクタを所望の角度だけ湾曲させる。この曲げ作用によりコーナプロテクタ自身が所望の角度に湾曲した状態となるから、現場において所望の角度のコーナプロテクタを設定することができる。そして、保護部が除去されたフラットケーブルのケーブル部を溝内に挿入し、コーナプロテクタを及びケーブル部挿入保持した状態で湾曲させ、テープや接着剤を用いて床面に固定する。
【図面の簡単な説明】
【図１】従来のフラットケーブルの敷設方法を説明するためのフラットケーブルの線図である。
【図２】フラットケーブルの構成を示す図である。
【図３】保護部が除去されたフラットケーブルを示す図である。
【図４】本発明によるコーナプロテクタの一例を示す図である。
【図５】コーナプロテクタの変形例を示す図である。
【符号の説明】
１　ケーブル部
２，３　保護部
１０　溝
１１ａ，１１ｂ　フランジ部
１２ａ，１２ｂ　平坦部
１３ａ，１３ｂ　斜辺部
１４ａ，１４ｂ　端面
１５ａ，１５ｂ　基準面
【図１】
2004072834.tif 000003
【図２】
2004072834.tif 000004
【図３】
2004072834.tif 000005
【図４】
2004072834.tif 000006
【図５】
2004072834.tif 000007